(57)【要約】【課題】着信音の停止操作を迅速に行うことができる携帯型情報処理装置を提供する。【解決手段】着信中、着信音を報知可能なスピーカと、着信状態でかつ折り畳み状態のとき、外部側操作部８の操作に基づいて、スピーカによって報知される着信音を停止させる制御部とを有し、着信音の停止操作を、折り畳み状態および展開状態の切替えを行うことなく実現する。【選択図】      図１
2005026858.tif 000002
【特許請求の範囲】
【請求項１】
情報を入力するための第１および第２操作部を含み、これら第１および第２操作部を操作可能な操作部許容状態と、第１操作部の操作が規制される操作部規制状態とにわたって切替可能な携帯型情報処理装置であって、
着信中、着信音を報知可能な報知手段と、
着信状態でかつ操作部規制状態のとき、第２操作部の操作に基づいて、報知手段によって報知される着信音を停止させる制御手段とを有することを特徴とする携帯型情報処理装置。
【請求項２】
相手側に応答するための応答メッセージであって、予め定める応答メッセージを記憶する記憶手段をさらに有し、
制御手段は、前記第２操作部の操作に基づいて、相手側へ応答メッセージを送信させることを特徴とする請求項１に記載の携帯型情報処理装置。
【請求項３】
制御手段は、着信状態でかつ操作部規制状態のとき、前記操作部規制状態から操作部許容状態への切替操作に基づいて、通話可能状態に移行させることを特徴とする請求項１に記載の携帯型情報処理装置。
【請求項４】
相手側に中継局を介して回線接続可能な携帯型情報処理装置であって、制御手段は、第２操作部の操作に基づいて、中継局から相手側へ応答メッセージを送信させる指令を、中継局に送ることを特徴とする請求項１に記載の携帯型情報処理装置。
【発明の詳細な説明】
【０００１】
【発明の属する技術分野】
本発明は、携帯型情報処理装置に関し、たとえば折り畳み型の携帯電話機に好適に適用される技術に関する。
【０００２】
【従来の技術】
従来、折り畳み型の携帯電話機が実用に供されている。この折り畳み型の携帯電話機は、たとえば二つのケーシングが折り畳み状態と展開状態とにわたって、ヒンジ部によって相互に角変位自在に連結される。前記折り畳み型の携帯電話機は、クラムシェル型の携帯電話機とも呼ばれる。
【０００３】
この種の携帯電話機において、ある程度静寂性を要求される場所などで、着信後直ぐに、着信音を停止するかまたは、音量を低下させるための第１の従来技術（特許文献１）が提案されている。つまり着信時に携帯電話機を展開状態にすると、開閉検知手段がこれを検知し、制御手段に信号を出力する。制御手段は、前記信号に基づいて着信音を停止させるか、または音量を低下させる。
【０００４】
またクラムシェル型の携帯電話機において、着信時に複数のキーのいずれかを、着信音を停止させるかまたは音量を低下させる信号を出力するキーとして一時的に割り当てる第２の従来技術（特許文献１）も提案されている。
【０００５】
【特許文献１】
特開平８−３０７４８８号公報
【０００６】
【発明が解決しようとする課題】
前記第１の従来技術では、着信音を停止または低下させる際、操作者は、携帯電話機を通常の折り畳み状態から展開状態に切替えなければならない。また携帯電話機の操作に不慣れな操作者は、展開状態にしたことで着信音が停止すると、回線接続状態になったものと勘違いするおそれがある。これによって操作者は、静寂性を要求される場所などでは、相手に応答メッセージを伝えることなく、電源キーを押し着信を不所望に拒否してしまう場合が考えられる。
【０００７】
前記第２の従来技術でも、着信音を停止または低下させる際、操作者は、携帯電話機を通常の折り畳み状態から展開状態に切替えたうえで、複数のキーのいずれかを操作しなければならない。それ故、第１の従来技術よりも携帯電話機の操作性が複雑になる。
【０００８】
したがって本発明の目的は、着信音の停止操作を迅速に行うことができる携帯型情報処理装置を提供することである。
【０００９】
【課題を解決するための手段】
本発明は、情報を入力するための第１および第２操作部を含み、これら第１および第２操作部を操作可能な操作部許容状態と、第１操作部の操作が規制される操作部規制状態とにわたって切替可能な携帯型情報処理装置であって、
着信中、着信音を報知可能な報知手段と、
着信状態でかつ操作部規制状態のとき、第２操作部の操作に基づいて、報知手段によって報知される着信音を停止させる制御手段とを有することを特徴とする携帯型情報処理装置である。
【００１０】
本発明に従えば、着信中、報知手段によって着信音が報知される。制御手段は、着信状態でかつ操作部規制状態のとき、第２操作部の操作に基づいて、前記着信音を停止させる。このように第１操作部の操作が規制される操作部規制状態であっても、第２操作部の操作に基づいて着信音を停止することができる。換言すれば、着信音の停止操作を、操作部規制状態および操作部許容状態の切替えを行うことなく実現することができる。
【００１１】
したがって第１操作部の操作が規制される限定された機能のなかから、着信音を停止するための所望の機能を選択することができる。それ故、静粛性を要求される場所で、着信音の停止操作を迅速に行うことが可能となる。
【００１２】
また本発明は、相手側に応答するための応答メッセージであって、予め定める応答メッセージを記憶する記憶手段をさらに有し、
制御手段は、前記第２操作部の操作に基づいて、相手側へ応答メッセージを送信させることを特徴とする。
【００１３】
本発明に従えば、予め定める応答メッセージは記憶手段に記憶される。制御手段は、第２操作部の操作に基づいて、相手側へ応答メッセージを送信させる。このように第１操作部の操作が規制される限定された機能のなかから、応答メッセージを送信させるための所望の機能を選択することができる。したがって本携帯型情報処理装置の操作性を簡略化することができる。
【００１４】
また本発明は、制御手段は、着信状態でかつ操作部規制状態のとき、前記操作部規制状態から操作部許容状態への切替操作に基づいて、通話可能状態に移行させることを特徴とする。
【００１５】
本発明に従えば、制御手段は、着信状態でかつ操作部規制状態のとき、前記操作部規制状態から操作部許容状態への切替操作に基づいて、通話可能状態に移行させる。したがって通話するための操作を迅速に行うことができる。
【００１６】
また本発明は、相手側に中継局を介して回線接続可能な携帯型情報処理装置であって、制御手段は、第２操作部の操作に基づいて、中継局から相手側へ応答メッセージを送信させる指令を、中継局に送ることを特徴とする。
【００１７】
本発明に従えば、制御手段は、特に第２操作部の操作に基づいて、中継局から相手側へ応答メッセージを送信させる指令を、中継局に送る。このように第１操作部の操作が規制される限定された機能のなかから、前記応答メッセージを再生させる機能を選択することができる。したがって本携帯型情報処理装置の操作性を簡略化することができる。
【００１８】
【発明の実施の形態】
図１は、本発明の実施形態に係る携帯電話機１において、サブ画面と背面キーとの関係を表す図である。図２は、折り畳んだ状態の携帯電話機１のカメラ１５を含む一表面部を表す図である。図３は、展開状態の携帯電話機１を、その厚み方向一方側から見た図である。図４は、折り畳んだ状態の携帯電話機１の一側面図である。図５は、折り畳んだ状態の携帯電話機１の他側面図である。
【００１９】
本実施形態は、携帯型情報処理装置を、小型カメラを搭載した折り畳み型の携帯電話機に適用した場合の一例である。ただし折り畳み型の携帯電話機に必ずしも限定されるものではない。たとえば後述の第１ケーシングを第２ケーシングに対して相対的にかつ略平行にスライド変位させるスライド型、第１ケーシングをその厚み方向に平行な軸線方向まわりに第２ケーシングに対して回転変位させる回転式、これら折り畳み型，スライド型，回転式の構造を選択的に組み合わせた種々な携帯電話機に適用可能である。
【００２０】
携帯電話機１は、主に、ケーシング２，３とヒンジ部４とを有する。これらケーシング２，３は、図１および図２に示すように相互に対向させた折り畳み状態と、図３に示す展開状態とにわたって、ヒンジ部４によって相互に角変位自在に連結される。すなわちケーシング２，３は、前記折り畳み状態から、ヒンジ部４とケーシング２の先端部とを含む仮想一平面と、ヒンジ部４とケーシング３の先端部とを含む仮想一平面とのなす角度がたとえば約１８０度となる位置まで、ヒンジ部４を中心として相互に角変位自在に構成されている。
【００２１】
ケーシング２には、情報を入力する第１操作部としての内部側操作部５が設けられている。内部側操作部５は、ケーシング２，３を相互に対向させた折り畳み状態で、ケーシング２のケーシング３に対向する領域に設けられる。内部側操作部５は、数字データ、文字データ、および携帯電話機１への指示などの所定の情報を入力するための複数の操作キー５ａを有し、操作キー５ａを操作することによって、後述する制御部６（図６参照）に各操作キー５ａに対応した指示信号を与える。
【００２２】
ケーシング３には内部側表示部７が設けられている。内部側表示部７は、ケーシング２，３を相互に対向させた折り畳み状態で、ケーシング３のケーシング２に対向する領域に設けられる。内部側表示部７は、前記内部側操作部５の操作によって入力される情報に応答して表示内容を表示する。この内部側表示部７は、たとえばカラー表示可能な微反射型液晶（半透過半反射型液晶を用いてもよい。）表示素子によって実現される。この折り畳み状態が操作部規制状態に相当する。
【００２３】
内部側表示部７および内部側操作部５を、ケーシング２，３の相互に対向する領域にそれぞれ設けることによって、ケーシング２，３を展開状態としたとき、操作者は内部側表示部７を見つつ内部側操作部５によって情報を入力することができる。本実施の形態において展開状態とは、次のような状態である。すなわちケーシング２，３が相互に対向させた折り畳み状態で相互に対向する領域が、外部に露出する状態であって、操作者が、内部側表示部７を目視することができるとともに、内部側操作部５を操作することができる状態である。前記展開状態が操作部許容状態に相当する。
【００２４】
ケーシング３において内部側表示部７の背面側およびケーシング３の一側面部には、情報を入力する第２操作部としての外部側操作部８が設けられている。換言すれば、外部側操作部８は、ケーシング３の外部に露出する領域に設けられる。この外部側操作部８は、前記背面側に設けられるキー操作部９と、前記一側面部に設けられるシャッタキー１０とを備えている。
【００２５】
キー操作部９は、適当間隔おきに配設される３つの背面キー９ａ，９ｂ，９ｃからなる。これら背面キー９ａ，９ｂ，９ｃのうちの１つの背面キー９ａは、後述する外部側表示部１１における矩形状表示エリアの一辺１２の中間付近に近接して配設される。前記背面キー９ａを中央キー９ａと定義する。別の背面キー９ｂは、前記矩形状表示エリアの四隅のうちの１つ、つまり前記一辺１２とこの一辺１２に隣接する一辺１３との交点に近接して配設される。前記背面キー９ｂを左キー９ｂと定義する。残りの背面キー９ｃは、矩形状表示エリアの四隅のうちの１つ、つまり矩形状表示エリアの一辺１２とこの一辺１２に隣接する他の一辺１４との交点に近接して配設される。前記背面キー９ｃを右キー９ｃと定義する。
【００２６】
これら中央キー９ａ、左キー９ｂ、右キー９ｃ、およびシャッタキー１０を選択的に操作することで、撮像画像のズームアップまたはズームダウン、画像データの仮保存および保存、待受け表示画面の登録、クイックメールの送信、後述する伝言メモ、クイックサイレント、および応答保留などが実行可能である。
【００２７】
ケーシング３の前記背面側には、外部側表示部１１が設けられている。したがって、内部側表示部７の表示面と、外部側表示部１１の表示面とは、互いに離反する方向に臨む。この外部側表示部１１は、前記外部側操作部８の操作によって入力される情報に応答して表示内容を表示する。外部側表示部１１は、たとえばカラー表示可能な微反射型液晶（半透過半反射型液晶を用いてもよい。）表示素子によって実現される。
【００２８】
前述した内部側表示部７および外部側表示部８は、カラー表示可能な微反射型液晶（半透過半反射型液晶を用いてもよい。）表示素子によって実現されるが、必ずしもこれに限定されるものではない。たとえば内部側表示部７および外部側表示部８の少なくともいずれか１つを、カラー表示または白黒表示可能な透過型液晶表示素子、反射型液晶表示素子、エレクトロルミネッセンス（Ｅｌｅｃｔｒｏ
Ｌｕｍｉｎｅｓｃｅｎｔ；略称ＥＬ）素子、および白黒表示可能な微反射型液晶（半透過半反射型液晶を用いてもよい。）表示素子のうちのいずれか１つによって実現されてもよい。
【００２９】
ケーシング２において内部側操作部５の背面側には、撮像手段であるカメラ１５と、アンテナ１６とが付設されている。カメラ１５は、入射光を電気的な信号に変換し、画像データを生成する。カメラ１５は、ケーシング２の基端部つまりヒンジ部４付近に設けられる。このカメラ１５は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、赤色（Ｒ），緑色（Ｇ），青色（Ｂ）の３色のカラーフィルタと、マイクロレンズアレイとを有する。カメラ１５は、被写体で反射された撮像レンズに入射した光を、カラーフィルタを通してＲ，Ｇ，Ｂの３色光にし、Ｒ，Ｇ，Ｂの３色光をそれぞれ前記撮像素子によって電気信号に変換する。
【００３０】
図６は、携帯電話機１の電気的構成を示すブロック図である。携帯電話機１は、前述したケーシング２，３、内部側操作部５、内部側表示部７、外部側表示部１１、外部側操作部８、カメラ１５およびアンテナ１６の他に、制御部６、画像処理部１７、第１メモリ１８、第２メモリ１９、第１表示ドライバ部２０、第２表示ドライバ部２１、第１バックライトユニット２２、第２バックライトユニット２３、状態検出スイッチ２４、無線部２５、通信制御部２６、音声入力部２７音声出力部２８、および報知手段としてのスピーカ３２をさらに含む。
【００３１】
制御部６は、中央演算処理装置（Ｃｅｎｔｒａｌ  Ｐｒｏｃｅｓｓｉｎｇ  Ｕｎｉｔ；略称ＣＰＵ）によって実現され、その内部に保存される制御プログラムに基づいて、携帯電話機１を構成する各部の制御を行う。制御部６は、内部側操作部５および外部側操作部８によって入力される情報、および後述する状態検出スイッチ２４に応答して携帯電話機１を構成する各部に制御信号を与えて、その動作を制御する。
【００３２】
画像処理部１７は、増幅部、アナログ／デジタル（Ａｎａｌｏｇ／Ｄｉｇｉｔａｌ；略称Ａ／Ｄ）変換部および信号処理部を含む。増幅部は、カメラ１５から与えられるＲ，Ｇ，Ｂの３色光のそれぞれに対応した電気信号を増幅し、Ａ／Ｄ変換部に与える。Ａ／Ｄ変換部は、増幅部で増幅されたＲ，Ｇ，Ｂに対応したアナログの電気信号をデジタルの電気信号に変換し、画像データを生成して信号処理部に与える。信号処理部は、Ａ／Ｄ変換部から与えられる画像データに対して、画素の補間処理などの信号処理を行う。また信号処理部は、制御部６から与えられる制御信号に基づいて、信号処理を施した画像データを第１メモリ１８に与える。
【００３３】
第１メモリ１８は、画像処理部１７からたとえば連続的に与えられる画像データを一時的に記憶する。第１メモリ１８は、複数画面分の画像データを記憶している。第１メモリ１８に記憶される画像データのうち、時間的に古い画像データは消去される、あるいは時間的に古い画像データに時間的に最も新しい画像データが上書きされることによって、第１メモリ１８には一時的に画像データが記憶される。第１メモリ１８は、たとえばスタティックランダムアクセスメモリ（Ｓｔａｔｉｃ  Ｒａｎｄｏｍ  Ａｃｃｅｓｓ  Ｍｅｍｏｒｙ；略称ＳＲＡＭ）などの揮発性メモリによって実現される。
【００３４】
第２メモリ１９は、内部側操作部５および外部側操作部８のいずれか一方によって入力された情報、ここではカメラ１５で撮像された画像を保存する指示が入力された場合に、この指示に応答した制御部６によって与えられる制御信号に基づいて第１メモリ１８に記憶された画像データのうち所定の画像データを保存する。
【００３５】
また第２メモリ１９には、内部側操作部５によって入力された文字データ、および通信制御部２６を介して受信した画像データおよび文字データなどの情報が保存される。第２メモリ１９は、たとえばフラッシュメモリなどの不揮発性メモリによって実現される。前述した外部側操作部８のうちシャッタキー１０を操作することによって、カメラ１５で撮像された画像を第２メモリ１９に保存することができる。これら第１および第２メモリ１８，１９が記憶手段に相当する。
【００３６】
制御部６は、内部側操作部５および外部側操作部８のうちいずれか一方によって入力されるカメラ１５で撮像するための情報に応答する。カメラ１５で撮像するための情報が内部側操作部５によって入力された場合には、制御部６は、この内部側操作部５に対応する内部側表示部７に前記カメラ１５で撮像した画像を表示させる。カメラ１５で撮像するための情報が外部側操作部８によって入力された場合には、制御部６は、この外部側操作部８に対応する外部側表示部１１に前記カメラ１５で撮像した画像を表示させる。したがって操作者は、内部側操作部５または外部側操作部８から所定の情報を入力することができるので、携帯電話機の操作性が向上する。
【００３７】
内部側操作部５によってカメラ１５で撮像するための情報が入力された場合には、制御部６は、第１メモリ１８に記憶された画像データを、第１表示ドライバ部２０に与える。外部側操作部８によってカメラ１５で撮像するための情報が入力された場合には、制御部６は、第２メモリ１９に記憶された画像データを、第２表示ドライバ部２１に与える。
【００３８】
第１メモリ１８に一時的に記憶され、内部側表示部７に表示する画像データおよび文字データの少なくともいずれか一方のデータに基づいて、第１表示ドライバ部２０は、内部側表示部７の各画素電極に対して駆動電圧を印加する。第２メモリ１９に保存され、外部側表示部１１に表示する画像データおよび文字データの少なくともいずれか一方のデータに基づいて、第２表示ドライバ部２１は、外部側表示部１１の各画素電極に対して駆動電圧を印加する。これによって内部側表示部７および外部側表示部１１のうち少なくともいずれか一方に、所定の表示内容が表示される。内部側表示部７は、第１表示ドライバ部２０によって駆動され、カメラ１５で撮像された画像を表示する。外部側表示部１１は、第２表示ドライバ部２１によって駆動され、カメラ１５で撮像された画像を表示する。
【００３９】
第１バックライトユニット２２は、表示面側から臨んで内部側表示部７の背後に設けられ、内部側表示部７に光を照射する。第２バックライトユニット２３は、表示面側から臨んで外部側表示部１１の背後に設けられ、外部側表示部１１に光を照射する。第１および第２バックライトユニット２２，２３は、いわゆるサイドライトタイプのバックライトユニットである。これら第１および第２バックライトユニット２２，２３は、発光ダイオードなどの発光素子と光学フィルタなどで構成した導光板とを含んで構成され、前記発光素子を導光板の厚み方向に垂直な方向の側部に配置して、その発光素子が発する光を導光板に形成したパターンによって表示面に導き、バックライトとして照射する。
【００４０】
第１および第２バックライトユニット２２，２３には制御部６から制御信号が与えられ、発光素子の点灯／消灯、および輝度調整などが行なわれる。第１および第２バックライトユニット２２，２３を設けることによって、携帯電話機１の周囲が暗い場合でも、内部側表示部７および外部側表示部１１の少なくともいずれか一方に表示される表示内容を見やすくすることができ、視認性が向上する。
【００４１】
前述した第１および第２バックライトユニット２２，２３は、各々独立して制御部６によって制御される。内部側表示部７に所定の表示内容が表示されている場合には、制御部６は、第１バックライトユニット２２の発光素子を点灯させる。外部側表示部１１に所定の表示内容が表示されている場合には、制御部６は、第２バックライトユニット２３の発光素子を点灯させる。
【００４２】
第１および第２バックライトユニット２２，２３の各発光素子は、操作者によってこれらの発光素子を消灯するための情報が内部側操作部５または外部側操作部８によって入力されるまで点灯する構成とする。第１および第２バックライトユニット２２，２３の発光素子は、点灯してから予め定める時間が経過すると、制御部６によって消灯される構成としてもよい。
【００４３】
状態検出スイッチ２４は、ケーシング２，３の折り畳み状態および展開状態を検出する状態検出部の一部を構成する。この状態検出部は、たとえばケーシング３に設けられる突起部、ケーシング２に設けられる孔部、状態検出スイッチ２４、および制御部６を含み構成される。制御部６は、前記孔部に挿入可能な突起部の位置、換言すれば状態検出スイッチ２４のスイッチング状態に基づいて、たとえば個別接点間に流れる電流を検出可能に構成される。
【００４４】
制御部６は、個別接点間に流れる電流を検出することによって、電流が流れればケーシング２，３が折り畳み状態であると判断する。ケーシング２，３が展開状態である場合には、個別接点間に電流を流すことができない。したがって制御部６は、ケーシング２，３が折り畳み状態でないとつまり展開状態であると判断する。
【００４５】
このように携帯電話機１においては、制御部６が、状態検出スイッチ２４のスイッチング状態に基づいて、ケーシング２，３が展開状態であるのか折り畳み状態であるのかを簡単な構成で容易に検出することができる。前記ケーシング２，３の展開状態は、内部側操作部５および外部側操作部８を操作可能な操作部許容状態と同義である。前記ケーシング２，３の折り畳み状態は、外部側操作部８だけを操作可能な操作部規制状態と同義である。
【００４６】
図７は、外部側表示部１１と外部側操作部８との関係を示し、（ａ）は、外部側表示部１１に「着信中」の文字が表示された着信状態を示す図、（ｂ）は、外部側表示部１１に「クイックサイレント」の文字が表示されたクイックサイレント状態を示す図である。
【００４７】
本実施形態の携帯電話機１では、図７（ａ）に示すように通話着信があれば、スピーカ３２から着信音が報知されるとともに、外部側表示部１１に「着信中」の文字が表示される。つまり制御部６は、待受状態から通話着信ありと判断すれば、この携帯電話機１が折り畳み状態か否かを判断する。ここで携帯電話機１が折り畳み状態と判断されると、制御部６は、スピーカ３２に報知させる制御信号を与えるとともに、第２メモリ１９および第２表示ドライバ部２１に制御信号を与える。これによって外部側表示部１１に着信報知する。
【００４８】
このような着信状態でかつ折り畳み状態のとき、後述するクイックサイレントに相当する中央キー９ａを操作者が予め定める時間長押しすると、スピーカ３２から報知される着信音が停止するうえ、外部側表示部１１に「クイックサイレント」の文字が表示される。本実施形態の携帯電話機１では、着信状態でかつ折り畳み状態のとき、外部側表示部１１の中央キー９ａ付近に‘クイックサイレント’のマークが表示される。したがって操作者は、前記中央キー９ａが、クイックサイレントに相当するキーであることを認識することができる。それ故、操作者は迅速にこのクイックサイレントに相当する中央キー９ａを操作することが可能となる。この着信状態で着信音が停止した状態は、クイックサイレント状態と同義である。前述の予め定める時間は、たとえば約２秒に設定されている。ただし予め定める時間は、必ずしも２秒に限定されるものではない。
【００４９】
つまり制御部６は、クイックサイレントに相当する中央キー９ａが長押しされたか否かを判断する。ここで中央キー９ａが長押しされたと判断されると、制御部６は、スピーカ３２に報知停止させる制御信号を与える。これとともに制御部６は、第２メモリ１９および第２表示ドライバ部２１に制御信号を与え、外部側表示部１１に「クイックサイレント」の文字を表示させる。
【００５０】
また本携帯電話機１が着信状態でかつ折り畳み状態のとき、後述する伝言メモに相当する左キー９ｂを操作者が予め定める時間長押しすると、スピーカ３２から報知される着信音が停止するうえ、回線接続状態となり応答メッセージが再生される。さらに外部側表示部１１にたとえば「伝言メモ応答中」などの文字が表示される。本実施形態の携帯電話機１では、着信状態でかつ折り畳み状態のとき、外部側表示部１１の左キー９ｂ付近に‘伝言メモ’のマークが表示される。したがって操作者は、前記左キー９ｂが、伝言メモに相当するキーであることを認識することができる。それ故、操作者は迅速にこの伝言メモに相当する左キー９ｂを操作することが可能となる。
【００５１】
制御部６は、伝言メモに相当する左キー９ｂが長押しされたか否かを判断する。ここで左キー９ｂが長押しされたと判断されると、制御部６は、スピーカ３２に報知停止させる制御信号を与える。これとともに制御部６は、通信制御部２６に制御信号を与えて、本携帯電話機１を回線接続状態にする。さらに制御部６は、第２メモリ１９、第２表示ドライバ部２１、および通信制御部２６に制御信号を与える。したがって第２メモリ１９に記憶される応答メッセージを再生させ、相手にこの応答メッセージを伝達することが可能となる。前記応答メッセージの再生中、外部側表示部１１に「伝言メモ応答中」などの文字を表示させることが可能となる。
【００５２】
また本携帯電話機１が着信状態で折り畳み状態のとき、後述する応答保留に相当する右キー９ｃを操作者が予め定める時間長押しすると、スピーカ３２から報知される着信音が停止するとともに、相手には、中継局から応答メッセージが再生される。前記中継局をセンターという場合がある。このとき本携帯電話機１の外部側表示部１１には、たとえば「応答保留中」などの文字が表示される。本実施形態の携帯電話機１では、着信状態でかつ折り畳み状態のとき、外部側表示部の右キー９ｃ付近に‘応答保留’のマークが表示される。したがって操作者は、前記右キー９ｃが、応答保留に相当するキーであることを認識することができる。それ故、操作者は迅速にこの応答保留に相当する右キー９ｃを操作することが可能となる。
【００５３】
制御部６は、応答保留に相当する右キー９ｃが長押しされたか否かを判断する。ここで右キー９ｃが長押しされたと判断されると、制御部６は、スピーカ３２に報知停止させる制御信号を与える。これとともに制御部６は、相手側とセンターとを回線接続させて、センターから相手側へ応答メッセージを再生させる指令を送る。これによって相手には、センターから応答メッセージが再生される。さらに制御部６は、第２メモリ１９および第２表示ドライバ部２１に制御信号を与えることで、応答保留中に外部側表示部１１に「応答保留中」などの文字を表示させることが可能となる。
【００５４】
図８は、着信音を報知停止させ、伝言メモへ移行するフローを表すフローチャートである。この図８のフローチャートつまり着信音の報知停止と伝言メモへの移行は、制御部６に予め格納されるプログラムに基づいて実行される。外部側表示部１１を、図８においてサブＬＣＤと表記する。内部側表示部７を、図８においてメインＬＣＤと表記する。
【００５５】
ステップｓ０で本フローをスタートさせると、制御部６は、本携帯電話機１をステップｓ１の待受状態に移行させる。前記待受状態とは、相手からのメールおよび電話を受信可能に待ち受ける状態と同義である。次にステップｓ２に移行して、制御部６は、本携帯電話機１に対する通話着信の有無を判断する。ここで通話着信有りと判断されると、次のステップｓ３に移行する。制御部６が通話着信なしと判断すると、ステップｓ２に戻る。ステップｓ３においては、制御部６は、本携帯電話機１が折り畳み状態か否かを判断する。ここで本携帯電話機１は折り畳み状態であると判断されると、ステップｓ４に移行する。
【００５６】
ステップｓ４において、制御部６は、スピーカ３２に報知させる制御信号を与える。これとともに第２メモリ１９および第２表示ドライバ部２１に制御信号を与え、外部側表示部１１に「着信中」などの文字を表示させる。次にステップｓ５に移行して、制御部６は、状態検出スイッチ２４のスイッチング状態に基づいて、本携帯電話機１が折り畳み状態であるか否かを判断する。ここで折り畳み状態であると判断されると、ステップｓ６に移行する。
【００５７】
ステップｓ６において、操作者が伝言メモに相当する左キー９ｂを操作したか否かを、制御部６が判断する。この左キー９ｂを操作したと判断されると、ステップｓ７に移行する。このステップｓ７で、左キー９ｂが開放されたか否かが制御部６によって判断される。換言すれば操作者が左キー９ｂを操作した状態を解除したか否かを、制御部６が判断する。左キー９ｂを開放したと判断されると、ステップｓ６に戻る。
【００５８】
ステップｓ７において左キー９ｂは開放されていないと制御部６が判断すると、ステップｓ８に移行する。このステップｓ８で予め定める時間（たとえば約２秒間）経過したか否かを、制御部６が判断する。ただし前記予め定める時間は、２秒間に必ずしも限定されるものではない。ここで予め定める時間経過していないと判断されると、ステップｓ７に戻る。予め定める時間経過したと判断されると、ステップｓ９に移行する。ステップｓ９において、制御部６は、スピーカ３２に報知停止させる制御信号を与える。その後ステップｓ１０に移行して、後述する伝言メモのサブルーチンを実行する。
【００５９】
ステップｓ３において、本携帯電話機１は折り畳み状態ではないつまり展開状態であると、制御部６が判断すると、ステップｓ１１に移行する。このステップｓ１１において、制御部６は、スピーカ３２に報知させる制御信号を与える。これとともに第１メモリ１８および第１表示ドライバ部２０に制御信号を与え、内部側表示部７に「着信中」などの文字を表示させる。次にステップｓ１２に移行して、制御部６は、状態検出スイッチ２４のスイッチング状態に基づいて、本携帯電話機１が折り畳み状態であるか否かを判断する。ここで折り畳み状態であると判断されると、ステップｓ４に戻る。
【００６０】
ステップｓ１２において、本携帯電話機１は展開状態であると判断されると、ステップｓ１３に移行する。このステップｓ１３において、操作者が通話キー３７を操作したか否かを、制御部６が判断する。前記通話キー３７は、内部側操作部５の操作キー５ａに含まれる。ここで通話キー３７を操作したと判断されると、ステップｓ１４の通話状態に移行する。つまり本携帯電話機１で操作者と相手とは通話することができる。
【００６１】
ステップｓ１３において通話キー３７を操作していないと、制御部６が判断すると、ステップｓ１５に移行する。ここで操作者が伝言メモに相当する左キー２９（図３参照）を操作したか否かを、制御部６が判断する。前記ステップｓ１５において、左キー２９を操作したと判断されると、ステップｓ９に戻る。
【００６２】
図９および図１０は、伝言メモのサブルーチンを表すフローチャートである。前記ステップｓ１０に移行すると、伝言メモのサブルーチンが実行される。具体的にステップｓ１０の後、ステップｓ１００に移行する。このステップｓ１００において、制御部６は、通信制御部２６に制御信号を与えて、本携帯電話機１を回線接続状態にする。次にステップｓ１０１に移行して、制御部６は、第２メモリ１９および通信制御部２６に制御信号を与える。
【００６３】
これによって第２メモリ１９に記憶される応答メッセージを再生させ、相手にこの応答メッセージを伝達することが可能となる。具体的には、たとえば「ただいま電話に出ることができません。ピーという発信音の後にお名前とご用件をお入れください。」などの応答メッセージが適用される。
【００６４】
次にステップｓ１０２に移行して、制御部６は、状態検出スイッチ２４のスイッチング状態に基づいて、本携帯電話機１が折り畳み状態であるか否かを判断する。ここで折り畳み状態であると判断されると、ステップｓ１０３に移行する。このステップｓ１０３において、制御部６は、第２メモリ１９および第２表示ドライバ部２１に制御信号を与え、外部側表示部１１にたとえば「伝言メモ応答中」などの文字を表示させる。
【００６５】
その後ステップｓ１０４に移行し、制御部６は、状態検出スイッチ２４のスイッチング状態に基づいて、本携帯電話機１が折り畳み状態であるか否かを判断する。ここで本携帯電話機１が折り畳み状態であると判断されると、ステップｓ１０５に移行する。ステップｓ１０５で、制御部６は、応答メッセージの再生が終了したか否かを判断する。
【００６６】
前記ステップｓ１０５で、応答メッセージの再生が終了したと判断されると、ステップｓ１０６に移行して、制御部６は、たとえば第２メモリ１９および通信制御部２６に制御信号を与え、相手の伝言メッセージを第２メモリ１９に録音する。
【００６７】
前記ステップｓ１０４において、携帯電話機１は折り畳み状態でないと、制御部６が判断すると、ステップｓ１０７に移行する。このステップｓ１０７において、制御部６は、通信制御部２６に制御信号を与えて応答メッセージの再生を停止させる。さらにステップｓ１０８にて、制御部６は、第２表示ドライバ部２１に制御信号を与え、外部側表示部１１に表示させていた「伝言メモ応答中」の表示を解除する。つまり伝言メモ報知停止状態にする。その後ステップｓ１０９の通話状態に移行する。
【００６８】
前述のように携帯電話機１を折り畳んだ状態で、着信時、本携帯電話機１を伝言メモの状態に迅速に設定することができる。その後応答メッセージ再生途中に、操作者が本携帯電話機１を展開状態にすると、応答メッセージの再生が強制的に停止されて本携帯電話機１を通話可能状態にすることができる。
【００６９】
前記ステップｓ１０２において、本携帯電話機１は折り畳み状態でないつまり展開状態であると、制御部６が判断すると、ステップｓ１１０に移行する。ここで制御部６は、第１メモリ１８および第１表示ドライバ部２０に制御信号を与え、内部側表示部７にたとえば「伝言メモ応答中」などの文字を表示させる。その後ステップｓ１１１にて、本携帯電話機１は折り畳み状態であるか否かを、制御部６が判断する。ここで折り畳み状態であると判断されると、ステップｓ１０３に戻る。
【００７０】
前記ステップｓ１１１において、折り畳み状態でないつまり展開状態であると判断されると、ステップｓ１１２に移行する。ここで、操作者が通話キー３７を操作したか否かを、制御部６が判断する。通話キー３７を操作したと判断されると、ステップｓ１０７に戻る。逆に通話キー３７を操作していないと判断されると、ステップｓ１１３にて制御部６は、応答メッセージの再生が終了したか否かを判断する。
【００７１】
前記ステップで、応答メッセージの再生が終了していないと判断されると、ステップｓ１１１に戻る。逆に応答メッセージの再生が終了したと判断されると、ステップｓ１１４に移行する。このステップｓ１１４で、制御部６は、たとえば第２メモリ１９および通信制御部２６に制御信号を与え、相手の伝言メッセージを第２メモリ１９に録音する。
【００７２】
前記ステップｓ１０６の後、ステップｓ１１５に移行し、本携帯電話機１は折り畳み状態か否かを制御部６が判断する。ここで折り畳み状態であると判断されると、ステップｓ１１６に移行して、伝言メッセージの録音を開始してから予め定める時間（たとえば約１２秒）経過したか否かを、制御部６が判断する。このステップｓ１１６で予め定める時間経過したと判断されると、ステップｓ１１７に移行する。逆に予め定める時間経過していないと判断されると、ステップｓ１１５に戻る。
【００７３】
ステップｓ１１７において、制御部６は、通信制御部２６に制御信号を与えて、伝言メッセージの録音を停止させる。さらにステップｓ１１８に移行して、制御部６は、第２表示ドライバ部２１に制御信号を与えて、伝言メモの報知を停止させる。その後、ステップｓ１１９の待受状態に移行する。このように本実施形態の携帯電話機１によれば、たとえば本携帯電話機１を展開状態に一切することなく、待受状態から伝言メモの設定を行った後元の待受状態に戻す工程を、簡単にかつ迅速に行うことが可能となる。
【００７４】
前記ステップｓ１１４の後、ステップｓ１２０に移行して、制御部６は、状態検出スイッチ２４のスイッチング状態に基づいて、本携帯電話機１が折り畳み状態であるか否かを判断する。ここで本携帯電話機１が折り畳み状態であると判断されると、ステップｓ１２１に移行する。このステップｓ１２１において、制御部６は、第２メモリ１９および第２表示ドライバ部２１に制御信号を与え、外部側表示部１１にたとえば「伝言メモ応答中」などの文字を表示させる。その後前記ステップｓ１１５に移行する。
【００７５】
ステップｓ１２０で、本携帯電話機１が折り畳み状態でないつまり展開状態であると判断されると、ステップｓ１２２に移行する。このステップｓ１２２において、操作者が通話キー３７を操作したと制御部６が判断すると、前記ステップｓ１１７に移行する。通話キー３７を操作していないと判断されても、ステップｓ１２３で予め定める時間経過すれば、ステップｓ１１７に移行する。ステップｓ１２３で、予め定める時間経過していないと、制御部６が判断すると、ステップｓ１２０に戻る。
【００７６】
なお、たとえば相手側の終話操作に応答して基地局より通信終了信号が到来した場合、および受信感度の低下によって基地局との通信が切断された場合には、応答メッセージ再生、伝言メッセージ録音、および伝言メモ報知がそれぞれ停止され、待受状態に移行する。
【００７７】
図１１は、着信音を報知停止させ、クイックサイレントへ移行するフローを表すフローチャートである。図１２は、クイックサイレントのサブルーチンを表すフローチャートである。前記ステップｓ６において、左キー９ｂを操作していないと制御部６が判断すると、ステップｓ１６に移行する。ここでクイックサイレントに相当する中央キー９ａを操作したか否かを、制御部６が判断する。
【００７８】
前記中央キー９ａを操作したと判断されると、ステップｓ１７に移行する。このステップｓ１７で中央キー９ａが開放されたか否かが制御部６によって判断される。換言すれば操作者が中央キー９ａを操作した状態を解除したか否かを、制御部６が判断する。中央キー９ａを開放したと判断されると、ステップｓ１６に戻る。
【００７９】
ステップｓ１７において中央キー９ａは開放されていないと制御部６が判断すると、ステップｓ１８に移行する。このステップｓ１８で予め定める時間（たとえば約２秒間）経過したか否かを、制御部６が判断する。ただし前記予め定める時間は、２秒間に必ずしも限定されるものではない。ここで予め定める時間経過していないと判断されると、ステップｓ１７に戻る。予め定める時間経過したと判断されると、ステップｓ１９に移行する。
【００８０】
ステップｓ１９において、制御部６は、スピーカ３２に報知停止させる制御信号を与える。その後ステップｓ２０に移行して、後述するクイックサイレントのサブルーチンを実行する。また前記ステップｓ１５において、左キー２９を操作していない判断されると、ステップｓ２１に移行する。このステップｓ２１で、Ｆキー３１を操作したか否かを、制御部６が判断する。ここでＦキー３１を操作したと判断されると、前記ステップｓ１９に移行する。
【００８１】
前記ステップｓ２０に移行すると、クイックサイレントのサブルーチンが実行される。具体的にステップｓ２０の後、ステップｓ２００に移行する。このステップｓ２００において、制御部６は、状態検出スイッチ２４のスイッチング状態に基づいて、本携帯電話機１が折り畳み状態であるか否かを判断する。ここで折り畳み状態であると判断されると、ステップｓ２０１に移行する。このステップｓ２０１において、制御部６は、第２メモリ１９および第２表示ドライバ部２１に制御信号を与え、外部側表示部１１にたとえば「クイックサイレント」などの文字を表示させる。
【００８２】
次にステップｓ２０２に移行し、操作者が伝言メモに相当する左キー９ｂを操作したか否かを、制御部６が判断する。この左キー９ｂを操作したと判断されると、ステップｓ２０３に移行する。ここで制御部６は、第２表示ドライバ部２１に制御信号を与え、外部側表示部１１に表示させていた「クイックサイレント」の表示を解除する。つまりクイックサイレント報知停止状態にする。その後前記ステップｓ１０の伝言メモのサブルーチンに移行する。このようにクイックサイレントのサブルーチンに一旦移行した状態であっても、たとえばメニュー画面に戻すことなく伝言メモのサブルーチンに簡単に移行することができる。
【００８３】
前記ステップｓ２０２において、左キー９ｂを操作していないと判断されると、ステップｓ２０４に移行する。ここで操作者が応答保留に相当する右キー９ｃを操作したか否かを、制御部６が判断する。この右キー９ｃを操作したと判断されると、ステップｓ２０５に移行し、ここで制御部６は、第２表示ドライバ部２１に制御信号を与え、外部側表示部１１に表示させていた「クイックサイレント」の表示を解除する。その後後述するステップｓ３０の応答保留のサブルーチンに移行する。
【００８４】
前記ステップｓ２０４において、右キー９ｃを操作していないと判断されると、ステップｓ２０６に移行する。ステップｓ２０６において、制御部６は、状態検出スイッチ２４のスイッチング状態に基づいて、本携帯電話機１が折り畳み状態であるか否かを判断する。ここで折り畳み状態でないつまり展開状態であると判断されると、ステップｓ２０７に移行し、ここで制御部６は、第２表示ドライバ部２１に制御信号を与え、外部側表示部１１に表示させていた「クイックサイレント」の表示を解除する。
【００８５】
その後ステップｓ２０８の通話状態に移行する。つまり本携帯電話機１で操作者と相手とは通話することができる。このようにクイックサイレントのサブルーチンに一旦移行した状態であっても、本携帯電話機１を折り畳み状態から展開状態に切替えるだけで、本携帯電話機１を通話状態にすることができる。
【００８６】
前記ステップｓ２０６で本携帯電話機１が折り畳み状態であると判断されると、ステップｓ２０９に移行する。ここで通話着信の有無が制御部６によって判断される。つまり通話着信ありと判断されると、ステップｓ２０２に戻る。逆に通話着信なしと判断されると、ステップｓ２１０に移行する。ここで制御部６は、第２表示ドライバ部２１に制御信号を与え、外部側表示部１１に表示させていた「クイックサイレント」の表示を解除する。その後本携帯電話機１は、ステップｓ２１１の待受状態に移行する。
【００８７】
前記ステップｓ２００において、本携帯電話機１が折り畳み状態でないつまり展開状態であると判断されると、ステップｓ２１２に移行する。ここで制御部６は、第１メモリ１８および第１表示ドライバ部２０に制御信号を与え、内部側表示部７にたとえば「クイックサイレント」などの文字を表示させる。その後ステップｓ２１３に移行し、制御部６は、状態検出スイッチ２４のスイッチング状態に基づいて、本携帯電話機１が折り畳み状態であるか否かを判断する。
【００８８】
このステップｓ２１３で、本携帯電話機１が折り畳み状態であると判断されると、ステップｓ２０１に移行する。ステップｓ２１３で本携帯電話機１が折り畳み状態でないつまり展開状態であると判断されると、ステップｓ２１４に移行する。ここで操作者が伝言メモに相当する左キー２９（図３参照）を操作したか否かを、制御部６が判断する。前記左キー２９を操作したと判断されると、ステップｓ２０３に移行する。
【００８９】
ステップｓ２１４で左キーを操作していないと判断されると、ステップｓ２１５に移行する。ここで操作者が応答保留に相当する右キー３０（図３参照）を操作したか否かを、制御部６が判断する。前記右キー３０を操作したと判断されると、ステップｓ２０５に移行する。逆に右キー３０を操作していないと判断されると、ステップｓ２１６に移行する。
【００９０】
このステップｓ２１６において、操作者が通話キー３７を操作したか否かを、制御部６が判断する。通話キー３７を操作したと判断されると、ステップｓ２０７に移行する。逆に通話キー３７を操作していないと判断されると、ステップｓ２１７に移行する。ここで通話着信の有無が制御部６によって判断される。つまり通話着信があれば、ステップｓ２１３に戻る。逆に通話着信がないと判断されると、ステップｓ２１０に移行する。
【００９１】
なお前述のクイックサイレントのサブルーチンにおいて、たとえば相手側の終話操作に応答して基地局より通信終了信号が到来した場合、および受信感度の低下によって基地局との通信が切断された場合には、クイックサイレントの報知が停止され、本携帯電話機１は待受状態に移行する。
【００９２】
図１３は、着信音を報知停止させ、応答保留へ移行するフローを表すフローチャートである。図１４は、応答保留のサブルーチンを表すフローチャートである。図１１に示す前記ステップｓ１６において、中央キー９ａを操作していないと判断されると、ステップｓ２２に移行する。ここで応答保留に相当する右キー９ｃを操作したか否かを、制御部６が判断する。
【００９３】
前記右キー９ｃを操作したと判断されると、ステップｓ２３に移行する。このステップｓ２３で右キー９ｃが開放されたか否かが制御部６によって判断される。換言すれば操作者が右キー９ｃを操作した状態を解除したか否かを、制御部６が判断する。右キー９ｃを開放したと判断されると、ステップｓ２２に戻る。逆に右キー９ｃは開放されていないと制御部６が判断すると、ステップｓ２４に移行する。
【００９４】
このステップｓ２４で予め定める時間（たとえば約２秒間）経過したか否かを、制御部６が判断する。ただし前記予め定める時間は、２秒間に必ずしも限定されるものではない。ここで予め定める時間経過していないと判断されると、ステップｓ２３に戻る。予め定める時間経過したと判断されると、ステップｓ２５に移行する。ステップｓ２５において、制御部６は、スピーカ３２に報知停止させる制御信号を与える。その後ステップｓ３０に移行して、後述する応答保留のサブルーチンを実行する。
【００９５】
前記ステップｓ２２において、右キー９ｃを操作していないと判断されると、ステップｓ２６に移行し、ここで通話着信の有無が制御部６によって判断される。通話着信ありと判断されると、ステップｓ５に戻る。逆に通話着信なしと判断されると、ステップｓ２７に移行して、制御部６は、スピーカ３２に報知停止させる制御信号を与える。次にステップｓ２８にて、本携帯電話機１を待受状態にする。前記ステップｓ２１において、Ｆキー３１を操作していないと判断されると、ステップｓ２９に移行する。
【００９６】
このステップｓ２９で、図３に示す右キー３０を操作したか否かを、制御部６が判断する。前記右キー３０を操作したと判断されると、前記ステップｓ２５に移行する。逆に右キー３０を操作していないと判断されると、ステップｓ３１に移行する。ここで通話着信の有無が制御部６によって判断される。つまり通話着信があれば、ステップｓ１２に戻る。逆に通話着信がないと判断されると、ステップｓ２７に移行する。
【００９７】
前記ステップｓ３０に移行すると、応答保留のサブルーチンが実行される。具体的にステップｓ３０の後、ステップｓ３００に移行する。このステップｓ３００において、制御部６は、相手側とセンターとを回線接続させて、センターから相手側へ応答メッセージを再生させる指令をセンターへ送る。操作者は、本携帯電話機１が折り畳み状態で、たとえば右キー９ｃを予め定める時間操作するだけの簡単な操作を行うだけで、相手側へ所望の応答メッセージを再生することが可能となる。
【００９８】
具体的に本携帯電話機１からの前記指令をセンターが受けると、センターから相手に応答メッセージを再生するフローを実行する。ステップｓ４０で、相手側とセンターとが回線接続された状態でこのフローが開始される。次にステップｓ４１に移行して、予め定める第１応答メッセージがセンターから相手に再生される。第１応答メッセージとしては、たとえば「ただいま電話に出ることができません。このまましばらくお待ちいただくか、しばらくしてからおかけ直しください。」などのメッセージが採用されている。
【００９９】
その後ステップｓ４２に移行して、終話検出の有無がセンターの図示外の制御部によって判断される。以後前記制御部をセンター制御部という。前記ステップｓ４２において、相手側の操作者が終話操作すると、センター制御部は、終話検出ありと判断してステップｓ４７に移行する。ここでセンター制御部は、携帯電話機１に対して通信終了信号を送信する。その後、ステップｓ４８でこのフローを終了する。
【０１００】
ステップｓ４２において、終話検出なしと判断されると、ステップｓ４３に移行する。ここで予め定める時間、たとえば約１０秒経過したか否かを、センター制御部が判断する。このステップで予め定める時間経過していないと判断されると、ステップｓ４２に戻る。逆に予め定める時間経過したと判断されると、ステップｓ４４に移行する。
【０１０１】
前記ステップｓ４４において、予め定める第２応答メッセージがセンターから相手に再生される。第２応答メッセージとしては、たとえば「お待ち頂き申し訳ありませんが、電話に出ることができません。こちらから折り返しご連絡させていただきますので電話をお切りください。大変失礼致しました。」などのメッセージが採用されている。
【０１０２】
次にステップｓ４５に移行して、終話検出の有無がセンター制御部によって判断される。ここで終話検出ありと判断されると、ステップｓ４７に移行する。逆に終話検出なしと判断されると、ステップｓ４６に移行して前記第２メッセージの再生が終了したか否かを、センター制御部が判断する。このステップｓ４６で、第２メッセージの再生が終了していないと判断されると、ステップｓ４５に戻る。逆に第２メッセージの再生が終了したと判断されると、ステップｓ４７に移行する。
【０１０３】
前述のように、ステップｓ３００でセンターへ応答保留要求を行った後、ステップｓ３０１に移行する。ここで制御部６は、状態検出スイッチ２４のスイッチング状態に基づいて、本携帯電話機１が折り畳み状態であるか否かを判断する。このステップｓ３０１で、本携帯電話機１が折り畳み状態であると判断されると、ステップｓ３０２に移行する。
【０１０４】
このステップｓ３０２において、制御部６は、第２メモリ１９および第２表示ドライバ部２１に制御信号を与え、外部側表示部１１にたとえば「応答保留中」などの文字を表示させる。次にステップｓ３０３に移行し、制御部６は、本携帯電話機１が折り畳み状態であるか否かを判断する。ここで折り畳み状態であると判断されると、ステップｓ３０４に移行する。折り畳み状態でない、つまり展開状態であると判断されると、ステップｓ３１１に移行する。
【０１０５】
ステップｓ３０４において、センターから通信終了信号を受けたか否かを、制御部６が判断する。ここで前記通信終了信号を受けたと判断されると、ステップｓ３０５に移行する。逆に通信終了信号を受けていないと判断されると、ステップｓ３０３に戻る。ステップｓ３０５にて、制御部６は、第２表示ドライバ部２１に制御信号を与え、外部側表示部１１に表示させていた「応答保留中」の表示を解除する。つまり応答保留報知停止状態にする。その後ステップｓ３０６の待受状態に移行する。
【０１０６】
前記ステップｓ３０１において、本携帯電話機１が折り畳み状態でない、つまり展開状態であると判断されると、ステップｓ３０７に移行する。ここで制御部６は、第１メモリ１８および第１表示ドライバ部２０に電気信号を与え、内部側表示部７にたとえば「応答保留中」などの文字を表示させる。次にステップｓ３０８で本携帯電話機１は折り畳み状態であるか否かを、制御部６が判断する。ここで折り畳み状態であると判断されると、ステップｓ３０２に移行する。逆に折り畳み状態ではない、つまり展開状態であると判断されると、ステップｓ３０９に移行する。
【０１０７】
このステップｓ３０９で、センターから通信終了信号を受けたか否かを、制御部６が判断する。ここで通信終了信号を受けたと判断されると、ステップｓ３０５に移行する。逆に通信終了信号を受けていないと判断されると、ステップｓ３１０に移行する。このステップｓ３１０では、操作者が図３に示す通話キー３７を操作したか否かを、制御部６が判断する。通話キー３７を操作したと判断されると、ステップｓ３１１に移行する。
【０１０８】
ステップｓ３１１にて、制御部６は、第１表示ドライバ部２０に制御信号を与え、内部側表示部７に表示させていた「応答保留中」の表示を解除する。つまり応答保留報知停止状態にする。その後ステップｓ３１２の通話状態に移行する。つまり本携帯電話機１で操作者と相手とは通話することができる。
【０１０９】
なお前述の応答保留のサブルーチンにおいて、たとえば相手側の終話操作に応答して基地局より通信終了信号が到来した場合、および受信感度の低下によって基地局との通信が切断された場合には、応答保留報知が停止され、待受状態に移行する。またメッセージ再生をセンターではなく、携帯電話機１側で行うようにしてもよい。
【０１１０】
以上説明した携帯電話機１によれば、着信中、スピーカ３２によって着信音が報知される。制御部６は、着信状態でかつ折り畳み状態のとき、外部側操作部８の操作に基づいて、前記着信音を停止させる。このように内部側操作部５の操作が規制される折り畳み状態であっても、外部側操作部８の操作に基づいて着信音を停止することができる。換言すれば、着信音の停止操作を、折り畳み状態および展開状態の切替えを行うことなく実現することができる。
【０１１１】
したがって内部側操作部５の操作が規制される限定された機能のなかから、着信音を停止するための所望の機能を、外部側表示部１１を見つつ選択することができる。それ故、静粛性を要求される場所で、着信音の停止操作を外部側表示部１１を見つつ迅速に行うことが可能となる。
【０１１２】
また本携帯電話機１は、記憶手段であるたとえば第２メモリ１９を有し、この第２メモリ１９には、相手側に応答するための応答メッセージが記憶される。制御部６は、外部側操作部８の操作に基づいて、回線接続させて前記応答メッセージを再生させる。このように内部側操作部５の操作が規制される限定された機能のなかから、応答メッセージを再生させるための所望の機能を選択することができる。したがって本携帯電話機１の操作性を簡略化することができる。
【０１１３】
また制御部６は、外部側操作部８の操作に基づいて、相手側とセンターとを回線接続させて、センターから相手側へ第１および第２応答メッセージを再生させる指令を送る。このように内部側操作部５の操作が規制される限定された機能のなかから、前記第１および第２応答メッセージを再生させる機能を選択することができる。したがって本携帯電話機１の操作性を簡略化することができる。
【０１１４】
本実施形態では、カメラ付きの携帯電話機１が適用されているがカメラ付きでない携帯電話機であってもよい。応答保留のサブルーチンでは、第１および第２応答メッセージを再生するが、１つの応答メッセージだけを再生するフローにすることも可能である。その他、前記実施形態に、特許請求の範囲を逸脱しない範囲において種々の部分的変更を行う場合もある。
【０１１５】
【発明の効果】
以上のように本発明によれば、着信中、報知手段によって着信音が報知される。制御手段は、着信状態でかつ操作部規制状態のとき、第２操作部の操作に基づいて、前記着信音を停止させる。このように第１操作部の操作が規制される操作部規制状態であっても、第２操作部の操作に基づいて着信音を停止することができる。換言すれば、着信音の停止操作を、操作部規制状態および操作部許容状態の切替えを行うことなく実現することができる。
【０１１６】
したがって第１操作部の操作が規制される限定された機能のなかから、着信音を停止するための所望の機能を選択することができる。それ故、静粛性を要求される場所で、着信音の停止操作を迅速に行うことが可能となる。
【０１１７】
また本発明によれば、予め定める応答メッセージは記憶手段に記憶される。制御手段は、第２操作部の操作に基づいて、相手側へ応答メッセージを送信させる。このように第１操作部の操作が規制される限定された機能のなかから、応答メッセージを送信させるための所望の機能を選択することができる。したがって本携帯型情報処理装置の操作性を簡略化することができる。
【０１１８】
また本発明によれば、制御手段は、着信状態でかつ操作部規制状態のとき、前記操作部規制状態から操作部許容状態への切替操作に基づいて、通話可能状態に移行させる。したがって通話するための操作を迅速に行うことができる。
【０１１９】
また本発明によれば、制御手段は、特に第２操作部の操作に基づいて、中継局から相手側へ応答メッセージを送信させる指令を、中継局に送る。このように第１操作部の操作が規制される限定された機能のなかから、前記応答メッセージを再生させる機能を選択することができる。したがって本携帯型情報処理装置の操作性を簡略化することができる。
【図面の簡単な説明】
【図１】本発明の実施形態に係る携帯電話機１において、サブ画面と背面キーとの関係を表す図である。
【図２】折り畳んだ状態の携帯電話機１のカメラ１５を含む一表面部を表す図である。
【図３】展開状態の携帯電話機１を、その厚み方向一方側から見た図である。
【図４】折り畳んだ状態の携帯電話機１の一側面図である。
【図５】折り畳んだ状態の携帯電話機１の他側面図である。
【図６】携帯電話機１の電気的構成を示すブロック図である。
【図７】外部側表示部１１と外部側操作部８との関係を示し、（ａ）は、外部側表示部１１に「着信中」の文字が表示された着信状態を示す図、（ｂ）は、外部側表示部１１に「クイックサイレント」の文字が表示されたクイックサイレント状態を示す図である。
【図８】着信音を報知停止させ、伝言メモへ移行するフローを表すフローチャートである。
【図９】伝言メモのサブルーチンを表すフローチャートである。
【図１０】伝言メモのサブルーチンを表すフローチャートである。
【図１１】着信音を報知停止させ、クイックサイレントへ移行するフローを表すフローチャートである。
【図１２】クイックサイレントのサブルーチンを表すフローチャートである。
【図１３】着信音を報知停止させ、応答保留へ移行するフローを表すフローチャートである。
【図１４】応答保留のサブルーチンを表すフローチャートである。
【符号の説明】
１  携帯電話機
５  内部側操作部
６  制御部
８  外部側操作部
３２  スピーカ
１８，１９  第１メモリ，第２メモリ
【図１】
2005026858.tif 000003
【図２】
2005026858.tif 000004
【図３】
2005026858.tif 000005
【図４】
2005026858.tif 000006
【図５】
2005026858.tif 000007
【図６】
2005026858.tif 000008
【図７】
2005026858.tif 000009
【図８】
2005026858.tif 000010
【図９】
2005026858.tif 000011
【図１０】
2005026858.tif 000012
【図１１】
2005026858.tif 000013
【図１２】
2005026858.tif 000014
【図１３】
2005026858.tif 000015
【図１４】
2005026858.tif 000016